(57)【要約】【課題】  カードがスタンダードタイプであってもリバースタイプかであっても製造工程をほぼ共通化することが可能で低コスト化が図りやすいカード用コネクタ装置を提供すること。【解決手段】  スタンダードタイプのカード１０がカード挿入口７からカード収納空間６へと挿入されるカード受容体５と、このカード受容体５のヘッダ部２ｂに固定された複数の端子部材１とを備え、各端子部材１の接触部１ａがカード収納空間６に延出してカード１０の下面側の外部接続部１０ａと接触可能なカード用コネクタ装置において、各端子部材１の端子部１ｂをヘッダ部２ｂの後端面の高さ方向中央部から外方へ突出させて下向きに折曲した。これにより、カードがリバースタイプの場合には、ヘッダ部２ｂの後端面から突出する端子部１ｂを逆向きに折曲すれば適用可能となる。【選択図】  図３
2006164847.tif 000002
【特許請求の範囲】
【請求項１】
カードがカード挿入口からカード収納空間へと挿入されるカード受容体と、このカード受容体のヘッダ部に固定された複数の端子部材とを備え、前記端子部材の一端側を前記カード収納空間に延出して前記カードの外部接続部と接触可能な接触部となし、かつ、前記端子部材の他端側を前記ヘッダ部の後端面の高さ方向中央部から外方へ突出して該高さ方向の上下いずれか一方側へ向けて選択的に折曲された端子部となし、該端子部を前記ヘッダ部の上下いずれか一方側に配された回路基板に対して半田付けするようにしたことを特徴とするカード用コネクタ装置。
【請求項２】
請求項１の記載において、前記カード収納空間に挿入されて前記接触部と接触する前記カードに対して該接触部が前記高さ方向の片側に位置するものとしたとき、前記端子部の前記折曲方向を同じく前記高さ方向の片側としたことを特徴とするカード用コネクタ装置。
【請求項３】
請求項１の記載において、前記カード収納空間に挿入されて前記接触部と接触する前記カードに対して該接触部が前記高さ方向の片側に位置するものとしたとき、前記端子部の前記折曲方向をこれとは逆に前記高さ方向の他側としたことを特徴とするカード用コネクタ装置。
【請求項４】
請求項１〜３のいずれか１項の記載において、前記カード受容体の外側面に前記回路基板に半田付けされるダミー端子を配設し、このダミー端子が前記外側面の高さ方向中央部から外方へ突出して該高さ方向の上下いずれか一方側へ向けて選択的に折曲されていることを特徴とするカード用コネクタ装置。
【発明の詳細な説明】
【技術分野】
【０００１】
本発明は、情報記憶機能を有するカードが接続されるカード用コネクタ装置に関するものである。
【背景技術】
【０００２】
従来より、この種のカード用コネクタ装置として、カード受容体のヘッダ部に固定された複数の端子部材の一端側をカード受容体内のカード収納空間に配置させ、カード受容体の前面に設けたカード挿入口から挿入したカードをカード収納空間へ押し込むことにより、このカードの片面に設けられた複数の外部接続部が対応する端子部材と接触するように構成したものが知られている（例えば、特許文献１参照）。
【０００３】
前記カード受容体は、後壁部がヘッダ部となっている合成樹脂製のベース部材と、このベース部材に蓋着された板金製のカバー部材とで構成されており、ベース部材とカバー部材との間にカード収納空間が画成されて、このカード収納空間の前面がカード挿入口となっている。複数の端子部材は圧入等によりヘッダ部に固定されており、各端子部材の一端側をカード収納空間に延出する接触部となし、各端子部材の他端側を外方へ突出してプリント回路基板に半田付けされる端子部となしている。そして、カードを前記カード挿入口から前記カード収納空間へ挿入して所定の装着位置に配置させると、このカードの複数の外部接続部が対応する端子部材の接触部と接触するようになっており、この状態で各端子部材を介してカードとプリント回路基板とが電気的に接続される。
【０００４】
一般的に、下面側に外部接続部を有するスタンダードタイプのカードが装着されるカード用コネクタ装置では、カード受容体内の上部にカード収納空間が画成されており、ヘッダ部から斜め上方へ延びる各端子部材の接触部の先端部分をカード収納空間に若干量入り込ませることによって、カード収納空間に挿入されたカードの下面が該接触部を下方へ押し撓めて所望の接触圧が得られるようになっている。この場合、各端子部材の端子部はヘッダ部の下端寄りの高さ位置から外方へ突出して下向きに折曲され、各端子部の先端部分がプリント回路基板のランドに半田付けされる。
【特許文献１】特開２００２−３６７７２０号公報（第３−５頁、図１）
【発明の開示】
【発明が解決しようとする課題】
【０００５】
前述した従来のカード用コネクタ装置は、下面側に外部接続部を有するスタンダードタイプのカードを装着するものとして構成されているが、このほか、上面側に外部接続部を有するリバースタイプのカードも市販されており、後者のカードの場合はカード受容体内の下部にカード収納空間を画成して、ヘッダ部から斜め下方へ延びる各端子部材の接触部の先端部分を該カード収納空間に若干量入り込ませる必要がある。そこで、リバースタイプのカードに適用させるために、前述した従来のカード用コネクタ装置を上下逆向きに設置するものとして、ヘッダ部から突出する各端子部材の端子部を下向きに折曲することが考えられるが、このようにしても各端子部の長さが不足するため該端子部を回路基板に半田付けすることは困難であり、結局、長めの端子部材をヘッダ部に固定せざるを得なかった。なお、各端子部材の端子部を回路基板の下面に半田付けして実装されるカード用コネクタ装置の場合は、装着されるカードがスタンダードタイプであれば長い端子部材を配設し、リバースタイプであれば短い端子部材を配設していた。
【０００６】
しかしながら、スタンダードタイプとリバースタイプという相違はあっても外部接続部の配列や個数が同じカードであれば、コネクタ装置側の構成は基本的に同等でよいため、上記の如く、装着されるカードがスタンダードタイプかリバースタイプかに応じて長さが異なる端子部材を配設するという構成では製造効率が悪く、部品管理も煩雑化してしまう。つまり、従来のカード用コネクタ装置は、基本的な構成が同じであっても装着されるカードがスタンダードタイプかリバースタイプかに応じて端子部材の長さを変えなければならないため、共通化できる製造工程が減って効率が悪いという問題があった。
【０００７】
本発明は、このような従来技術の実情に鑑みてなされたもので、その目的は、スタンダードタイプであってもリバースタイプであっても製造工程をほぼ共通化することが可能で低コスト化が図りやすいカード用コネクタ装置を提供することにある。
【課題を解決するための手段】
【０００８】
上記の目的を達成するために、本発明のカード用コネクタ装置は、カードがカード挿入口からカード収納空間へと挿入されるカード受容体と、このカード受容体のヘッダ部に固定された複数の端子部材とを備え、前記端子部材の一端側を前記カード収納空間に延出して前記カードの外部接続部と接触可能な接触部となし、かつ、前記端子部材の他端側を前記ヘッダ部の後端面の高さ方向中央部から外方へ突出して該高さ方向の上下いずれか一方側へ向けて選択的に折曲された端子部となし、該端子部を前記ヘッダ部の上下いずれか一方側に配された回路基板に対して半田付けするように構成した。
【０００９】
このように構成されたカード用コネクタ装置によれば、各端子部材の端子部がヘッダ部の後端面の高さ方向中央部から外方へ突出させてあるので、回路基板の上面に半田付けする場合には該端子部を下向きに折曲し、回路基板の下面に半田付けする場合には該端子部を上向きに折曲すれば良く、いずれの場合も端子部の長さは同じで良い。つまり、ヘッダ部から外方へ突出する端子部を該ヘッダ部の高さ方向の片側へ向けて折曲することによって、装着されるカードがスタンダードタイプで回路基板の上面に実装される場合と、装着されるカードがリバースタイプで回路基板の下面に実装される場合とに対応させることができ、また、該端子部を該ヘッダ部の高さ方向の他側へ向けて折曲することによって、装着されるカードがスタンダードタイプで回路基板の下面に実装される場合と、装着されるカードがリバースタイプで回路基板の上面に実装される場合とに対応させることができる。要するに、このカード用コネクタ装置は、装着されるカードがスタンダードタイプかリバースタイプかに応じて端子部材の長さを変える必要がなく、単にヘッダ部から外方へ突出する端子部の折曲方向を適宜選択するだけで良いため、製造工程をほぼ共通化することができて効率良く安価に製造することができる。
【００１０】
具体的には、カードがスタンダードタイプの場合、カード収納空間に挿入されて前記接触部と接触するカードに対して該接触部は下側に位置するが、ヘッダ部から外方へ突出する前記端子部の前記折曲方向が同じく下側であれば回路基板の上面に半田付けでき、逆に前記折曲方向が上側であれば回路基板の下面に半田付けできる。また、カードがリバースタイプの場合には、カード収納空間に挿入されて前記接触部と接触するカードに対して該接触部が上側に位置するが、ヘッダ部から外方へ突出する前記端子部の前記折曲方向が同じく上側であれば回路基板の下面に半田付けでき、逆に前記折曲方向が下側であれば回路基板の下面に半田付けできる。
【００１１】
また、上記の構成において、前記カード受容体の外側面に前記回路基板に半田付けされるダミー端子を配設し、このダミー端子が前記外側面の高さ方向中央部から外方へ突出して該高さ方向の上下いずれか一方側へ向けて選択的に折曲されていると、装着されるカードがスタンダードタイプかリバースタイプかに応じて、同じダミー端子の折曲方向を適宜選択するだけで良いため、製造効率を損なうことなくカード受容体を回路基板に強固に取り付けることができて好ましい。
【発明の効果】
【００１２】
本発明のカード用コネクタ装置は、各端子部材の端子部がヘッダ部の後端面の高さ方向中央部から外方へ突出させてあるので、装着されるカードがスタンダードタイプかリバースタイプかに応じて端子部材の長さを変える必要がなく、単に端子部の折曲方向を適宜選択するだけで良い。それゆえ、このカード用コネクタ装置は、カードがスタンダードタイプであってもリバースタイプであっても製造工程をほぼ共通化することができ、低コスト化が図りやすい。
【発明を実施するための最良の形態】
【００１３】
発明の実施の形態について図面を参照して説明すると、図１は本発明の第１実施形態例に係るカード用コネクタ装置を上面側から見た斜視図、図２は該カード用コネクタ装置の平面図、図３は図２のIII−III線に沿う断面図である。
【００１４】
これらの図に示すカード用コネクタ装置は、複数の端子部材１を支持している合成樹脂製のベース部材２と、このベース部材２の上部開口を覆う板金製のカバー部材３と、ベース部材２上の一側部に組み込まれたカード排出機構４とによって主に構成されており、ベース部材２にカバー部材３を蓋着してなる筐体がカード受容体５となっている。また、ベース部材２の外側面にはカード受容体５の取付強度を高めるためのダミー端子８が突設されている。
【００１５】
ベース部材２は金型内に複数の端子部材１およびダミー端子８をインサートして成形されたモールド品であり、底板部２ａの後端にヘッダ部２ｂが設けられている。ベース部材２の底板部２ａとカバー部材３との間には前面側を開放したカード収納空間６が画成されており、この開放端がカード挿入口７となっている。このカード用コネクタ装置は、装着されるカード１０がスタンダードタイプで下面側に外部接続部１０ａが配設されているため、カード受容体５内の上部にカード収納空間６が画成されている。
【００１６】
図３に示すように、各端子部材１はその一端部がカード１０の外部接続部１０ａに接触可能な接触部１ａで、他端部が図示せぬプリント回路基板に半田付けされる端子部１ｂとなっており、接触部１ａと端子部１ｂとの間の屈曲部１ｃがベース部材２のヘッダ部２ｂ内に埋設されている。接触部１ａはヘッダ部２ｂの前端面の下端寄りの位置からカード収納空間６へ向けて斜め上方に延出しており、接触部１ａの先端部分は弾性的に上下動可能である。そして、この先端部分がカード１０の搭載される底板部２ａの上面よりも若干量上方へ突出した位置に配置させてあるため、カード収納空間６内へ挿入されたカード１０の下面に接触部１ａが弾接するようになっている。端子部１ｂは、ヘッダ部２ｂの後端面の高さ方向中央部から外方へ突出して下向きに略直角に折曲され、先端近傍はさらに略直角に折曲されて水平に向けられている。端子部１ｂのこの水平な先端部分は、前記プリント回路基板のランド上に搭載されて半田付けされる部位である。
【００１７】
端子部材１の端子部１ｂと同様に、ダミー端子８もベース部材２の外側面の高さ方向中央部から外方へ突出して下向きに略直角に折曲され、先端近傍はさらに略直角に折曲されて水平に向けられている。ダミー端子８のこの水平な先端部分は、前記プリント回路基板のダミーランド上に搭載されて半田付けされる部位である。このダミー端子８は電気的に孤立しているため信号の授受には関与しないが、ダミー端子８をプリント回路基板に半田付けすることによってカード受容体５の取付強度を高めることができる。
【００１８】
カバー部材３はステンレス等の金属板をプレス加工したもので、このカバー部材３には平板部３ａの前端を除く左右両側と後端に折曲片３ｂが形成され、平板部３ａの手前側には押圧片３ｃが形成されている。このカバー部材３は、各折曲片３ｂをベース部材２にスナップ結合やかしめ等の手段で固定することによって取り付けられており、平板部３ａを底板部２ａと対向させることによってカード収納空間６を蓋閉している。
【００１９】
カード排出機構４は、図示せぬスライド部材とコイルばねおよび摺動ピンを具備しており、これら各部材はカード収納空間６の側方で底板部２ａ上に配設されている。ここで、スライド部材はカード１０の挿入・排出方向へ移動可能であって、スライド部材の内底部にハート型カム溝が形成されている。また、コイルばねはスライド部材を装置手前側へ常時付勢しており、摺動ピンはハート型カム溝に摺動可能に係合している。そして、カバー部材３に形成された押圧片３ｃが摺動ピンに弾接しているため、この摺動ピンがハート型カム溝から脱落することはなく、カード収納空間６内に挿入されたカード１０と一体的にスライド部材が移動すると、摺動ピンがハート型カム溝に沿って移動するようになっている。ただし、カード排出機構４の構成は公知なため、その詳細な説明は省略する。
【００２０】
このカード用コネクタ装置に使用されるカード１０は平面視矩形状を呈し、その下面側には各端子部材１に対応して複数の外部接続部１０ａが配設されている。すなわち、このカード１０はスタンダードタイプであって、使用時には外部接続部１０ａを下に向けた状態でカード挿入口７からカード収納空間６内へ挿入されていき、カード１０がカード収納空間６内に所定量挿入されると、各外部接続部１０ａが対応する端子部材１の接触部１ａと接触するようになっている。
【００２１】
次に、上述したカード用コネクタ装置の動作について説明する。
【００２２】
外部接続部１０ａを下に向けた状態でカード１０を前端側からカード挿入口７に挿入してカード収納空間６内へ押し込んでいくと、カード１０の前端部がカード排出機構４のスライド部材をコイルばねの付勢力に抗して装置奥側へ押し込むため、摺動ピンがハート型カム溝の往路最前部に到達する。この状態でカード１０への押し込み力を除去すると、スライド部材がコイルばねの付勢力で装置手前側へ若干量戻されて摺動ピンがハート型カム溝のロック部に係止されるため、スライド部材がロックされてカード１０が所定の装着位置に保持された状態となり、この状態でカード１０の下面側の外部接続部１０ａは対応する端子部材１の接触部１ａに接触している。
【００２３】
また、挿入されたカード１０を排出させる場合には、所定の装着位置に保持されているカード１０を装置奥側へ若干量押し込めば、カード排出機構４の摺動ピンがハート型カム溝のロック部から離脱してスライド部材のロックが解除されるため、カード１０に対する押し込み力を除去すると、スライド部材がコイルばねの弾発力で装置手前側へ移動し、それに伴いカード１０の前端部がスライド部材によって装置手前側へ押し込まれる。これにより、カード１０はカード挿入口７から外方へと排出される。
【００２４】
このように第１実施形態例に係るカード用コネクタ装置は、装着されるカード１０がスタンダードタイプでプリント回路基板の上面に実装されるというものなので、ヘッダ部２ｂの後端面から外方へ突出する各端子部材１の端子部１ｂを下向きに折曲しているが、これら端子部１ｂはヘッダ部２ｂの後端面の高さ方向中央部から突出させてあるので、図５に示すように装着されるカード２０がリバースタイプでプリント回路基板の上面に実装される場合には、端子部１ｂの折曲方向を逆にしたうえでカード受容体５を天地逆に設置するだけで対応できる。つまり、装着されるカードがスタンダードタイプかリバースタイプかに応じて端子部材１の長さを変える必要がなく、単にヘッダ部２ｂから外方へ突出する端子部１ｂの折曲方向を適宜選択するだけで良い。また、ダミー端子８についても同様で、ベース部材２の外側面の高さ方向中央部から外方へ突出させてあるため、端子部１ｂと同じ向きにダミー端子８を折曲することにより、このダミー端子８をプリント回路基板に半田付けして取付強度を高めることができる。要するに、このカード用コネクタ装置は、装着されるカードの外部接続部の配列や個数が同じであれば、それがスタンダードタイプであってもリバースタイプであっても端子部材１やダミー端子８の長さを変える必要はなく、製造工程をほぼ共通化することができるため、効率良く安価に製造することができる。
【００２５】
なお、装着されるカードがリバースタイプでプリント回路基板の下面に実装される場合には、第１実施形態例に係るカード用コネクタ装置のカード受容体５を天地逆に設置するだけで対応できる。
【００２６】
図４は本発明の第２実施形態例に係るカード用コネクタ装置を下面側から見た斜視図、図５は該カード用コネクタ装置の断面図であって、図１〜図３と対応する部分には同一符号が付してあるため、重複する説明は省略する。
【００２７】
図４と図５に示すカード用コネクタ装置は、装着されるカード２０がリバースタイプで上面側に外部接続部２０ａが配設されているため、カード受容体５内の下部にカード収納空間６が画成されている。また、このカード用コネクタ装置は、図示せぬプリント回路基板の上面に実装されるというものなので、各端子部材１の端子部１ｂやダミー端子８が、ベース部材２の高さ方向中央部から外方へ突出して下向きに略直角に折曲されている。ただし、前述したように端子部１ｂやダミー端子８の折曲方向を逆向きにすれば、第１実施形態例に係るカード用コネクタ装置が得られる。
【００２８】
また、装着されるカードがスタンダードタイプでプリント回路基板の下面に実装される場合には、第２実施形態例に係るカード用コネクタ装置のカード受容体５を天地逆に設置するだけで対応できる。
【図面の簡単な説明】
【００２９】
【図１】本発明の第１実施形態例に係るカード用コネクタ装置を上面側から見た斜視図である。
【図２】図１に示すカード用コネクタ装置の平面図である。
【図３】図２のIII−III線に沿う断面図である。
【図４】本発明の第２実施形態例に係るカード用コネクタ装置を下面側から見た斜視図である。
【図５】図４に示すカード用コネクタ装置の断面図である。
【符号の説明】
【００３０】
１  端子部材
１ａ  接触部
１ｂ  端子部
２  ベース部材
２ｂ  ヘッダ部
３  カバー部材
４  カード排出機構
５  カード受容体
６  カード収納空間
７  カード挿入口
８  ダミー端子
１０  カード（スタンダードタイプ）
１０ａ  外部接続部
２０  カード（リバースタイプ）
２０ａ  外部接続部
【図１】
2006164847.tif 000003
【図２】
2006164847.tif 000004
【図３】
2006164847.tif 000005
【図４】
2006164847.tif 000006
【図５】
2006164847.tif 000007